(57)【要約】
【課題】発光ダイオードらから外部に射出する光線の輝度を向上させることができる車両用ランプ内の発光ダイオード用固定座を提供する。
【解決手段】車両用ランプのハウジング内には一回路板１が固定してあり、回路板１の上に多数の発光ダイオード２を接合することができ、且つハウジングの外側には光透過できる一火屋３がカバーしてあり、火屋３の内側には集光構造３１が設けてある車両用ランプ内の発光ダイオード用固定座４において、固定座４は、回路板１の正面に寄る一台座であり、その前側には複数の段階状の固定台４１が設けてあり、固定台４１には発光ダイオード２の端子２１を挿通するための多数の貫通孔４２が開けてあり、発光ダイオード２の端子２１は貫通孔４２を挿通して回路板１と接合し、固定座４の固定効果より、発光ダイオード２は火屋３の円弧形な構造に合わせて配列した車両用ランプ内の発光ダイオード用固定座である。
【選択図】図１
0003101164.tif 000002
【実用新案登録請求の範囲】
【請求項１】
車両用ランプのハウジング内には一回路板が固定してあり、前記回路板の上に多数の発光ダイオードを接合することができ、且つ前記ハウジングの外側には光透過できる一火屋がカバーしてあり、前記火屋の内側には集光構造が設けてある車両用ランプ内の発光ダイオード用固定座において、
前記固定座は、回路板の正面に寄る一台座であり、その前側には複数の段階状の固定台が設けてあり、前記固定台には発光ダイオードの端子を挿通するための多数の貫通孔が開けてあり、発光ダイオードの端子は前記貫通孔を挿通して回路板と接合し、固定座の固定効果より、発光ダイオードは火屋の円弧形な構造に合わせて配列することを特徴とする、
車両用ランプ内の発光ダイオード用固定座。
【請求項２】
前記固定座にある各列の固定台の前側には、多数の段階状な連続台で接続して形成される段階面が設けてあることを特徴とする、
請求項１に記載の車両用ランプ内の発光ダイオード用固定座。
【請求項３】
前記固定座の固定台の前側には、発光ダイオードの光マスクの底部を嵌着するための多数の溝が設けてあることを特徴とする、
請求項１に記載の車両用ランプ内の発光ダイオード用固定座。
【考案の詳細な説明】
【技術分野】
【０００１】
本考案は車両用ランプ内の発光ダイオード用固定座に係り、特に発光ダイオードは火屋の円弧形な構造に合わせて配列することができ、これにより、発光ダイオードの投射する光線の輝度をより高くすることができる車両用ランプ内の発光ダイオード用固定座に関するものである。
【背景技術】
【０００２】
自動車およびオートバイは極めて便利なものであるため、その普及率がどんどん上昇してきている。それに従って、車両の関連用品の販売市場も非常に大きい。したがって、関連業者は全力を上げて、車両の関連用品を研究開発し消費者のニーズを満足せんとしている。
【０００３】
車両用ランプとしては、多数の異なる構造を持つものがあり、消費者はそれらのものから自分の好きなものを選んで購入することができる。例えば、車両用ランプの光源としては、一般の電灯の他に、発光ダイオードを採用するものもある。
【０００４】
図６に示すのは、従来の発光ダイオードを光源とする車両用ランプである。ハウジング内には平面状な一回路板ａが固定してあり、回路板ａの上には多数の発光ダイオードｂが接合してあり、且つハウジングの外側には光透過できる一火屋ｃがカバーしてあり、火屋ｃの内側には集光構造とする凹凸な模様が設けてある。それを使用するときには、回路板ａが車両内に設ける蓄電池を電源として発光ダイオードｂを駆動し発光させ、且つ発光ダイオードｂの射出する光線は、火屋ｃの集光構造ｄにより集中され輝度を増加した後、外部に投射する。
【考案の開示】
【考案が解決しようとする課題】
【０００５】
従来の自動車およびオートバイは流線型を強調するため、車両用ランプの外側にある火屋も、車両の流線型な造形に従って円弧形な造形になる。したがって、発光ダイオードを光源とする車両用ランプにあっては、次のような問題点がある。
＜１＞回路板ａは平面状なものであるため、その上に接合した多数の発光ダイオードｂも単一の平面で配列し、火屋ｃの円弧形な造形に従って曲がることができないので、最大の輝度を発揮することができない。
＜２＞多数の発光ダイオードｂは単一の平面で配列し、火屋ｃの集光構造ｄに合わせて集光効果を達成することができないので、輝度は良くない。
【課題を解決するための手段】
【０００６】
上記のような課題を解決するために、本考案の車両用ランプ内の発光ダイオード用固定座は、車両用ランプのハウジング内には一回路板が固定してあり、前記回路板の上に多数の発光ダイオードを接合することができ、且つ前記ハウジングの外側には光透過できる一火屋がカバーしてあり、前記火屋の内側には集光構造が設けてある車両用ランプ内の発光ダイオード用固定座において、前記固定座は、回路板の正面に寄る一台座であり、その前側には複数の段階状の固定台が設けてあり、前記固定台には発光ダイオードの端子を挿通するための多数の貫通孔が開けてあり、発光ダイオードの端子は前記貫通孔を挿通して回路板と接合し、固定座の固定効果より、発光ダイオードは火屋の円弧形な構造に合わせて配列することを特徴とする車両用ランプ内の発光ダイオード用固定座である。
【０００７】
また、本考案の車両用ランプ内の発光ダイオード用固定座は、前記固定座にある各列の固定台の前側には、多数の段階状な連続台で接続して形成される段階面が設けてあることを特徴とする前記車両用ランプ内の発光ダイオード用固定座でもある。
【０００８】
さらに、本考案の車両用ランプ内の発光ダイオード用固定座は、前記固定座の固定台の前側には、発光ダイオードの光マスクの底部を嵌着するための多数の溝が設けてあることを特徴とする前記車両用ランプ内の発光ダイオード用固定座でもある。
【考案の効果】
【０００９】
本考案の車両用ランプ内の発光ダイオード用固定座は、上記した課題を解決するための手段により、次のような効果を得ることができる。
＜１＞固定座の固定効果より、発光ダイオードは火屋の円弧形な構造に合わせて配列することができるため、発光ダイオードらから外部に射出する光線の輝度を向上することができる。
＜２＞固定座にある段階状な固定台は火屋の集光構造に応じて設けるため、集光構造の集光効果を発揮し、発光ダイオードらから外部に射出する光線の輝度を向上することができる。
【考案を実施するための最良の形態】
【００１０】
以下、図面を参照しながら本考案の実施の形態について説明する。
【００１１】
まず、図１を参照する。この考案に係る車両用ランプ内の発光ダイオード用固定座は、従来のものと同様のように、ハウジング内には一回路板１が固定してあり、回路板１の上に多数の発光ダイオード２を接合することができ、且つハウジングの外側には光透過できる一火屋３がカバーしてあり、火屋３の内側には集光構造３１とする凹凸な模様が設けてある。しかしながら、この考案の構造の特徴は、発光ダイオード２を固定し火屋３の円弧形な造形に合うための一固定座４が設けてあることである。
【００１２】
図１または図２を参照する。固定座４は、回路板１の正面に寄る一台座であり、その前側には複数の段階状の固定台４１が設けてあり、固定台４１には発光ダイオード２の端子２１を挿通するための多数の貫通孔４２が開けてあり、発光ダイオード２の端子２１は貫通孔４２を挿通して回路板１と接合する。
【００１３】
そうすると、固定座４の固定効果と、発光ダイオード２は火屋３の円弧形な構造に合わせて配列することとにより、発光ダイオード２らから外部に射出する光線の輝度を向上することができる。また、固定座４にある段階状な固定台４１は火屋３の集光構造３１に応じて設けるため、集光構造３１の集光効果を発揮し、発光ダイオード２らから外部に射出する光線の輝度を向上することができる。
【００１４】
また、図３を参照する。図３は本考案の構造の実施例２を示す概略図である。固定座４の各固定台４１の高さは必ずしも同様ではないため、発光ダイオード２は、火屋３の円弧形な造形に合わせて配列する。
【００１５】
また、図４を参照する。図４は本考案の構造の実施例３を示す概略図である。固定座４の各固定台４１の前側は単一の平面でなくてもよく、すなわち、各列の固定台４１の前側には、多数の段階状な連続台４１１で接続して形成される段階面が設けてあることにより、発光ダイオード２は、火屋３の円弧形な造形に合わせて配列する。
【００１６】
また、図５を参照する。図５は本考案の構造の実施例４を示す概略図である。固定座４の固定台４１の前側には、発光ダイオード２の光マスク２２の底部を嵌着するための多数の溝４３が設けてあることにより、固定の緊密度が向上する。
【図面の簡単な説明】
【００１７】
【図１】本考案の全体構造を示す概略図。
【図２】本考案に係る固定座と回路板と発光ダイオードとの組合せた状態を示す斜視図。
【図３】本考案の構造の実施例２を示す概略図。
【図４】本考案の構造の実施例３を示す概略図。
【図５】本考案の構造の実施例４を示す概略図。
【図６】従来の構造を示す概略図。
【符号の説明】
【００１８】
１・・・・回路板
２・・・・発光ダイオード
２１・・・端子
３・・・・火屋
３１・・・集光構造
４・・・・固定座
４１・・・固定台
４１１・・連続台
４２・・・貫通孔
４３・・・溝
【図１】
0003101164.tif 000003
【図２】
0003101164.tif 000004
【図３】
0003101164.tif 000005
【図４】
0003101164.tif 000006
【図５】
0003101164.tif 000007
【図６】
0003101164.tif 000008